(57)【要約】  本発明は価格バーコードを含む個人ページを用いた電子商取引方法及びシステムに関するものであって、オンライン上で商品を購買する場合、これに従う固有の個人ページを形成し、個人ページの使用により自動的に削除されるか、他ユーザに譲渡時、既存個人ページをリアルタイムに削除して購買内訳の偽造、変造を防止する一方、譲渡の信頼性及び便宜性を向上させる。
2014518413.tif 000002
【特許請求の範囲】
【請求項１】
第１ユーザ端末が有無線インターネット網を用いて商品購買ウェブサイトに接続する第１ステップと、
前記第１ユーザ端末が商品の購買のために前記商品購買ウェブサイトを提供するウェブサーバに前記第１ユーザ端末の認証識別子を転送する第２ステップと、
前記ウェブサーバが前記第１ユーザ端末から受信した認証識別子と前記ウェブサーバのデータベースに予め登録されて格納された認証識別子である認証比較識別子とを比較して前記第１ユーザ端末を認証するか否かを判断する第３ステップと、
前記ウェブサーバが前記判断の結果、前記受信した認証識別子と前記予め格納された認証比較識別子とが一致すれば、前記ウェブサーバは前記第１ユーザ端末を認証し、前記認証識別子と前記商品の価格バーコードを含む個人ページを形成して前記第１ユーザ端末に転送する第４ステップと、
ＶＡＮ（value-added network）サーバが前記第１ユーザ端末から前記第１ユーザ端末の個人ページに含まれる前記商品の価格バーコードをスキャンした情報を受信して決済を実行する第５ステップと、
前記ＶＡＮサーバが前記ウェブサーバに前記個人ページの削除を要請する第６ステップと、
前記ウェブサーバが前記個人ページを削除する第７ステップと、
を含むことを特徴とする、価格バーコードを含む個人ページを用いた電子商取引方法。
【請求項２】
前記第４ステップの以後、前記第１ユーザ端末が前記個人ページの前記認証識別子を第２ユーザ端末の認証識別子に変更し、前記ウェブサーバが前記第１ユーザ端末から前記認証識別子が変更された個人ページを受信して前記第２ユーザ端末に転送するステップをさらに含むことを特徴とする、請求項１に記載の価格バーコードを含む個人ページを用いた電子商取引方法。
【請求項３】
ＶＡＮ（value-added network）サーバが前記第２ユーザ端末から前記第２ユーザ端末の個人ページに含まれる前記商品の価格バーコードをスキャンした情報を受信して決済を実行するステップをさらに含むことを特徴とする、請求項２に記載の価格バーコードを含む個人ページを用いた電子商取引方法。
【請求項４】
前記ウェブサーバが前記第１ユーザ端末から前記認証識別子が変更された個人ページを受信して前記第２ユーザ端末に転送するステップは、前記ウェブサーバが前記変更された個人ページの情報を受信し、前記個人ページの変更を知らせる通知情報の上に前記個人ページのＵＲＬを含んで前記第２ユーザ端末に送信するステップをさらに含むことを特徴とする、請求項２に記載の価格バーコードを含む個人ページを用いた電子商取引方法。
【請求項５】
前記個人ページの変更を知らせる通知情報の上に前記個人ページのＵＲＬを含んで前記第２ユーザ端末に送信するステップは、前記ウェブサーバが前記通知情報をＳＭＳまたはプッシュ通知（Push Notification）を用いて前記第２ユーザ端末に送信することを特徴とする、請求項４に記載の価格バーコードを含む個人ページを用いた電子商取引方法。
【請求項６】
前記認証識別子は、前記第１ユーザ端末の固有番号、電話番号、またはユーザＩＤとパスワードであることを特徴とする、請求項１に記載の価格バーコードを含む個人ページを用いた電子商取引方法。
【請求項７】
有無線インターネット網を用いて商品購買ウェブサイトに接続して、商品の購買のために認証識別子を転送する第１ユーザ端末と、
前記第１ユーザ端末から受信した認証識別子と前記商品購買ウェブサイトを提供するウェブサーバのデータベースに予め登録されて格納された認証識別子である認証比較識別子とを比較して前記第１ユーザ端末を認証するか否かを判断した結果、前記受信した認証識別子と前記予め格納された認証比較識別子とが一致すれば、前記第１ユーザ端末を認証し、前記認証識別子と前記商品の価格バーコードを含む個人ページを形成して前記第１ユーザ端末に送信するウェブサーバと、
前記第１ユーザ端末の前記個人ページに含まれる前記商品の価格バーコードをスキャンした情報を受信して決済を実行し、前記ウェブサーバに前記個人ページの削除を要請するＶＡＮ（value-added network）サーバと、
を含むことを特徴とする、価格バーコードを含む個人ページを用いた電子商取引システム。
【請求項８】
前記ウェブサーバは、
複数個のユーザ端末の認証比較識別子が予め登録されて格納されたデータベースと、
前記第１ユーザ端末から受信した認証識別子と前記ウェブサーバのデータベースに予め格納された認証比較識別子とを比較して前記第１ユーザ端末を認証するか否かを判断した結果、前記受信した認証識別子と前記予め格納された認証比較識別子とが一致すれば、前記第１ユーザ端末を認証する認証処理部と、
前記認証識別子と前記商品の価格バーコードを含む個人ページを形成して前記第１ユーザ端末に転送する個人ページ生成部と、
を含むことを特徴とする、請求項７に記載の価格バーコードを含む個人ページを用いた電子商取引システム。
【請求項９】
前記個人ページ生成部は、前記第１ユーザ端末から前記個人ページの認証識別子を第２ユーザ端末の認証識別子に変更したデータを受信し、前記受信したデータを適用して前記個人ページを生成し、前記生成された個人ページを第２ユーザ端末に転送し、
前記ＶＡＮサーバは、前記第２ユーザ端末から前記第２ユーザ端末の個人ページに含まれる前記商品の価格バーコードをスキャンした情報を受信して決済を実行することを特徴とする、請求項８に記載の価格バーコードを含む個人ページを用いた電子商取引システム。
【請求項１０】
前記認証識別子は、前記第１ユーザ端末の固有番号、電話番号、またはユーザＩＤとパスワードである価格バーコードを含むことを特徴とする、請求項７に記載の価格バーコードを含む個人ページを用いた電子商取引方法。
【発明の詳細な説明】
【技術分野】
【０００１】
本発明は、オンオフライン連携型価格バーコードを含む個人ページを用いた電子商取引方法及びシステムに関するものである。
【０００２】
本発明は、中小企業庁産学研協力企業付設研究所支援事業を通じて開発された結果物である。
【背景技術】
【０００３】
一般に、電子商取引とは、オンラインを通じて商品及びサービスを買って売る行為を称するところ、電子商取引のための販売、購買、及び決済の行為がオンライン上で全てなされて、特に狭義の電子商取引とは、インターネットにホームページとして開設されたサイバー上の商店を通じてリアルタイムに商品を取引することを意味する。取引される商品には実物だけでなく、遠距離教育や医学的診断のようなサービスや、ニュース、オーディオ、及びソフトウェアのようなディジタル商品も含まれるものと見ることができる。そして、広義の電子商取引は消費者との取引だけでなく、取引と関連した供給者、金融機関、政府機関、及び運送機関などのような取引に関連する全ての機関との関連行為を含むものと見ることができる。
【０００４】
一方、最近電子商取引上で活発に用いられる商品購買情報に対するクーポン支給をオンライン上でダウンロードし、これをオフライン上で物を受領するようにする方式の電子商取引が流行している。
【０００５】
しかしながら、このようなオンラインクーポンは基本的に偽変造が容易であるので信頼性に大きい問題があり、クーポンを所有したユーザの立場でも実際の物品を受領する店（例えば、カフェ、商品店など）で直接バーコードを押して確認する前までは本人が所有したクーポンの使用完了か否かを分からなくて使用に大きい不便をもたらしている。
【発明の概要】
【発明が解決しようとする課題】
【０００６】
本発明は前述した課題を解決するために案出したものであって、本発明の目的はオンライン上で商品を購買する場合、これに従う固有の個人ページを形成し、個人ページの使用により自動的に削除されるか、他ユーザに譲渡時、既存の個人ページをリアルタイムに削除して購買内訳の偽造、変造を防止する一方、譲渡の信頼性及び便宜性を向上させることができる価格バーコードを含む個人ページを用いた電子商取引方法及びシステムを提供することにある。
【課題を解決するための手段】
【０００７】
前述した課題を解決するための手段として、本発明の一実施形態に従う価格バーコードを含む個人ページを用いた電子商取引方法は、第１ユーザ端末が有無線インターネット網を用いて商品購買をウェブサイトに接続する第１ステップ、上記第１ユーザ端末が商品の購買のために上記商品購買ウェブサイトを提供するウェブサーバに上記第１ユーザ端末の認証識別子を転送する第２ステップ、上記ウェブサーバが上記第１ユーザ端末から受信した認証識別子と上記ウェブサーバのデータベースに予め登録されて格納された認証識別子である認証比較識別子とを比較して上記第１ユーザ端末を認証するか否かを判断する第３ステップ、及び上記ウェブサーバが上記判断結果、上記受信した認証識別子と上記予め格納された認証比較識別子とが一致すれば、上記ウェブサーバは上記第１ユーザ端末を認証し、上記認証識別子と上記商品の価格バーコードを含む個人ページを形成して上記第１ユーザ端末に転送する第４ステップ、ＶＡＮ（value-added network）サーバが上記第１ユーザ端末から上記第１ユーザ端末の個人ページに含まれる上記商品の価格バーコードをスキャンした情報を受信して決済を実行する第５ステップ、上記ＶＡＮサーバが上記ウェブサーバに上記個人ページの削除を要請する第６ステップ、及び上記ウェブサーバが上記個人ページを削除する第７ステップを含む。
【０００８】
本発明の更に他の一実施形態によれば、上記第４ステップの以後、上記第１ユーザ端末が上記個人ページの上記認証識別子を第２ユーザ端末の認証識別子に変更し、上記ウェブサーバが上記第１ユーザ端末から上記認証識別子が変更された個人ページを受信して上記第２ユーザ端末に転送するステップをさらに含む。
【０００９】
本発明の更に他の一実施形態によれば、ＶＡＮ（value-added network）サーバが上記第２ユーザ端末から上記第２ユーザ端末の個人ページに含まれる上記商品の価格バーコードをスキャンした情報を受信して決済を実行するステップをさらに含む。
【００１０】
本発明の更に他の一実施形態によれば、上記ウェブサーバが上記第１ユーザ端末から上記認証識別子が変更された個人ページを受信して上記第２ユーザ端末に転送するステップは、上記ウェブサーバが上記変更された個人ページの情報を受信し、上記個人ページの変更を知らせる通知情報の上に上記個人ページのＵＲＬを含んで上記第２ユーザ端末に送信するステップをさらに含む。
【００１１】
本発明の更に他の一実施形態によれば、上記個人ページの変更を知らせる通知情報の上に上記個人ページのＵＲＬを含んで上記第２ユーザ端末に送信するステップは、上記ウェブサーバが上記通知情報をＳＭＳまたはプッシュ通知（Push Notification）を用いて上記第２ユーザ端末に送信する。
【００１２】
本発明の更に他の一実施形態によれば、上記認証識別子は上記第１ユーザ端末の固有番号、電話番号、またはユーザＩＤとパスワードである。
【００１３】
本発明の一実施形態に従う価格バーコードを含む個人ページを用いた電子商取引システムは、有無線インターネット網を用いて商品購買ウェブサイトに接続して、商品の購買のために認証識別子を転送する第１ユーザ端末、上記第１ユーザ端末から受信した認証識別子と上記商品購買ウェブサイトを提供するウェブサーバのデータベースに予め登録されて格納された認証識別子である認証比較識別子とを比較して上記第１ユーザ端末を認証するか否かを判断した結果、上記受信した認証識別子と上記予め格納された認証比較識別子とが一致すれば、上記第１ユーザ端末を認証し、上記認証識別子と上記商品の価格バーコードを含む個人ページを形成して上記第１ユーザ端末に送信するウェブサーバ、及び上記第１ユーザ端末の上記個人ページに含まれる上記商品の価格バーコードをスキャンした情報を受信して決済を実行し、上記ウェブサーバに上記個人ページの削除を要請するＶＡＮ（value-added network）サーバを含む。
【００１４】
本発明の更に他の一実施形態によれば、上記ウェブサーバは複数個のユーザ端末の認証比較識別子が予め登録されて格納されたデータベース、上記第１ユーザ端末から受信した認証識別子と上記ウェブサーバのデータベースに予め格納された認証比較識別子とを比較して上記第１ユーザ端末を認証するか否かを判断した結果、上記受信した認証識別子と上記予め格納された認証比較識別子とが一致すれば、上記第１ユーザ端末を認証する認証処理部、及び上記認証識別子と上記商品の価格バーコードを含む個人ページを形成して上記第１ユーザ端末に転送する個人ページ生成部を含む。
【００１５】
本発明の更に他の一実施形態によれば、上記個人ページ生成部は上記第１ユーザ端末から上記個人ページの認証識別子を第２ユーザ端末の認証識別子に変更したデータを受信し、上記受信したデータを適用して上記個人ページを生成し、上記生成された個人ページを第２ユーザ端末に転送し、上記ＶＡＮサーバは上記第２ユーザ端末から上記第２ユーザ端末の個人ページに含まれる上記商品の価格バーコードをスキャンした情報を受信して決済を実行する。
【００１６】
本発明の更に他の一実施形態によれば、上記認証識別子は上記第１ユーザ端末の固有番号、電話番号、またはユーザＩＤとパスワードである価格バーコードを含む。
【発明の効果】
【００１７】
本発明によれば、オンライン上で商品を購買する場合、これに従う固有の個人ページを形成し、個人ページの使用により自動的に削除されるか、他ユーザに譲渡時、既存の個人ページをリアルタイムに削除して購買内訳の偽造、変造を防止する一方、譲渡の信頼性及び便宜性を向上させることができる効果がある。
【００１８】
また、電子商取引だけでなく、多様な割引券にもバーコード取引方法を適用して活用度を高めることができるようにすることができる。
【図面の簡単な説明】
【００１９】
【図１】本発明に従う価格バーコードを含む個人ページを用いた電子商取引システムの構成概略図である。
【図２】本発明に従う価格バーコードを含む個人ページを用いた電子商取引システムの構成詳細図である。
【図３】本発明に従う価格バーコードを含む個人ページを用いた電子商取引方法の順序図を図示したものである。
【図４】本発明に従う価格バーコード使用の一使用状態を図式化したものである。
【図５】本発明に従う価格バーコード使用の一使用状態を図式化したものである。
【発明を実施するための形態】
【００２０】
以下、添付した図面を参照して本発明に従う構成及び作用を具体的に説明する。添付図面を参照して説明するに当たって、図面符号にかかわらず、同一な構成要素には同一な参照符号を与えて、これに対する重複説明は省略する。第１、第２などの用語は多様な構成要素を説明することに使用できるが、上記構成要素は上記用語により限定されてはならない。上記用語は１つの構成要素を他の構成要素から区別する目的のみに使われる。
【００２１】
本発明は、オンライン上で購買した商品情報を含む個人ページを生成し、これに基づいて偽変造が不可なオンオフライン連携型価格バーコードを含む個人ページを用いた電子商取引方法及びシステムを提供することを要旨とする。
【００２２】
図１は本発明に従う価格バーコードを含む個人ページを用いた電子商取引システムの構成概略図であり、図２は本発明に従う価格バーコードを含む個人ページを用いた電子商取引システムの構成詳細図である。
【００２３】
図示された図面を参照すると、本発明に従う価格バーコードを含む個人ページを用いた電子商取引システムは、有無線通信が可能であり、端末機の固有番号、個人識別子、またはＩＤとパスワードを備えてウェブサーバに接続する第１ユーザ端末１００と、上記第１ユーザ端末が商品購買ウェブサイトで購買した商品購買情報と上記固有番号、個人識別子情報、またはユーザＩＤとパスワードを結合して個人ページを形成するウェブサーバ２００と、上記個人ページを用いて商品購買を完了する場合、上記個人ページに含まれたバーコードのコード値とバーコードイメージとを連動して上記ウェブサーバに個人ページの削除を要請するＶＡＮサーバ３００を含んで構成できる。
【００２４】
上記第１ユーザ端末１００は有無線通信が可能な端末を含む概念であって、特にインターネット網に接続が可能なＰＣ、モバイルフォン、ＰＤＡなど、多様なデバイスが適用できる。例えば、有無線通信網ネットワークを用いる移動通信端末機がユーザ端末になることができ、この場合、ユーザ端末はこのような移動通信網とインターネットを利用し、かつ、ここでインターネットは無線接近が可能なネットワークであって、ＷＡＰ（Wireless Application Protocol）やＷＩＰＩなどのプラットフォームを基盤にして移動通信網を通じて接近したり、公衆無線ＬＡＮとアクセスポイント（Access Point）を通じて接近する無線インターネットと、ＡＤＳＬ水準の品質と費用で停止または低速移動中にも高速インターネット接続できる携帯インターネット（WiBroまたはWiMax）を含んでなされる。一方、移動通信端末機は上記のような無線でインターネットにアクセスできる機能を搭載した場合、移動性で制限になるコンピュータに代わってウェブサーバ２００に接続することもできる。
【００２５】
また、上記第１ユーザ端末１００が接続する上記ウェブサーバ２００は、上記第１ユーザ端末が商品購買ウェブサイトで購買した商品購買情報と上記第１ユーザ端末の固有番号、電話番号、またはユーザＩＤと秘密番号を結合して個人ページを形成する機能を遂行する。
【００２６】
具体的に、上記ウェブサーバ２００は上記第１ユーザ端末１００の端末機固有番号、電話番号、またはユーザＩＤと秘密番号を比較するための認証比較識別子を格納する少なくとも１以上のデータベース２４０と、上記端末機の固有番号、個人識別子、またはユーザＩＤと秘密番号を通じてドメインを生成するドメイン生成部２２０、上記端末機の固有番号、個人識別子、またはユーザＩＤと秘密番号を通じてユーザ認証を遂行する認証処理部２１０、上記端末機の固有番号、個人識別子、またはユーザＩＤと秘密番号と商品購買情報を結合して個人ページを形成する個人ページ生成部２３０を含んで構成できる。
【００２７】
延いては、上記ＶＡＮサーバ３００で個人ページのバーコードを使用するか否かをリアルタイムに連動して把握するバーコード連動部２５０、及び上記固有番号、個人識別子、及びユーザＩＤと秘密番号が変更される場合、既存の個人ページを削除する譲渡処理部２６０をさらに含んで構成できる。
【００２８】
以下、前述した価格バーコードを含む個人ページを用いた電子商取引システムを活用して電子商取引方法を図２及び図３を参照して説明する。
【００２９】
本発明に従う価格バーコードを含む個人ページを用いた電子商取引方法は、大別して、第１ユーザ端末１００が有無線インターネット網を用いて商品購買ウェブサイトに接続して商品購買を遂行する第１ステップと、上記商品購買の完了時、第１ユーザ端末１００で認証識別子をウェブサーバ２００に転送する第２ステップ、そして上記ウェブサーバ２００で上記認証識別子を媒介に個人ページを形成する第３ステップを含んで具現できる。
【００３０】
即ち、上記第１ステップ及び第２ステップは第１ユーザ端末１００が商品購買ウェブサイトに接続してオンラインを通じて商品を購買し、商品購買完了時、上記第１ユーザ端末１００の認証識別子を上記ウェブサーバ２００に転送するようになる。この場合、上記認証識別子は端末機固有番号である端末機識別子、電話番号である個人識別子、またはユーザＩＤとパスワードを含むことができる。このように転送される個人識別子、端末機識別子、またはユーザＩＤとパスワードは前述したウェブサーバ２００のデータベース２４０に格納される。
【００３１】
ウェブサーバ２００の認証処理部２１０は、上記第１ユーザ端末で転送された認証識別子と予め登録されて格納された認証識別子である認証比較識別子と比較して、上記第１ユーザ端末を認証するか否かを判断し、上記判断結果、上記受信した認証識別子と上記予め格納された認証比較識別子とが一致すれば、上記第１ユーザ端末を認証する。認証が完了すれば、商品情報と価格バーコードを含む商品購買情報を上記個人識別子及び端末機識別子とマッチングして個人ページ生成部２３０で個人ページが生成されるようにする。
【００３２】
ユーザがバーコードをスキャンして購買を実施するようになる場合、ＶＡＮサーバ３００でウェブサーバのバーコード連動部２５０を通じてバーコードのコード値とバーコードイメージをリアルタイムに連動して使われた個人ページの削除を上記ウェブサーバに要請するようになる。要請を受けたウェブサーバは制御部Ｃで個人ページを直ちに削除するようになる。
【００３３】
特に、本発明の特徴的なバーコード使用方法には、前述した商品のバーコード及び商品ページで形成される個人ページを第３者に譲渡できるということである。即ち、前述した過程で生成された個人ページを第３者の端末（第２ユーザ端末）に転送する場合、上記個人ページの認証識別子が第３者に変更され、既存の第１ユーザ端末に存在する個人ページは削除される。
【００３４】
これを具体的に説明すれば、上記第１ユーザ端末１００により購買された商品情報を含む個人ページを第２ユーザ端末に譲渡する過程は、まず上記第１ユーザ端末が上記商品購買ウェブサイトに接続して認証識別子を第２ユーザ端末の情報に変更するようになる。例えば、第２ユーザ端末が個人識別子である電話番号を変更して第２ユーザ端末の電話番号として指定して変更すれば、これはウェブサーバのデータベースに格納され、以後、ＳＭＳ、プッシュ通知（Push Notification）などの通知機能を通じて上記第２ユーザ端末に変更情報が伝達される。
【００３５】
以後、変更された情報（ＵＲＬなど）の転送を受けた第２ユーザ端末が上記商品購買ウェブページに接続すれば、第２ユーザ端末の認証識別子のうちの１つである端末機固有番号が自動的に第２ユーザ端末の固有番号に変更されるようになる。以後、変更された第２ユーザ端末の認証識別子が上記個人ページに再マッチングされるようになって、購買した商品のバーコード及び商品ページが譲渡されるようになる。勿論、この場合、譲渡前の第１ユーザ端末に格納された個人ページはウェブサーバの譲渡処理部２６０を通じて直ちに削除されるようになって、唯一の個人ページが残るようになり、このような過程を通じて商品購買情報が含まれた個人ページを使用するか否か、譲渡するか否かを再度確認する必要無しで、信頼性のある取引がなされるようになる。
【００３６】
図４及び図５は、本発明に従う価格バーコード使用の一使用状態を図式化したものである。
【００３７】
まず、図４に記述したように、（ａ）ユーザ端末を通じてウェブサイトで商品を購買するようになれば、（ｂ）に図示されたように個人ページが生成されると共に、個人ページに含まれた価格バーコード情報がＶＡＮサーバと連動するようになる。（ｃ）以後、ＰＯＳ（Point Of Sales）システムで上記価格バーコード情報をスキャンすれば、ＶＡＮサーバで上記価格バーコード情報を受信して購買を確認し、購買を確認すると共に、ウェブサーバ連動を通じて予め生成された個人ページを削除するようになる。
【００３８】
また、図５に図示されたように、商品購買後、個人ページが生成された以後に、また再接続をするようになれば、ウェブサーバでは認証識別子をマッチングしてチェックするようになり、以後、生成された個人ページを確認することができ、このような過程は前述したように第３者に譲渡される場合、個人識別子と端末機固有番号が変更され、また個人ページと変更された情報がマッチングされて格納されるようになる。
【００３９】
本発明に従う価格バーコードを含む個人ページを用いた電子商取引方法は、オンライン上で商品を購買する場合、これに従う固有の個人ページを形成し、個人ページの使用により自動的に削除されるか、他ユーザに譲渡時、既存個人ページをリアルタイムに削除して購買内訳の偽造、変造を防止する一方、譲渡の信頼性及び便宜性を向上させることができるようになる。また、このような価格バーコードを含む個人ページを用いた電子商取引方法は商品購買の電子商取引だけでなく、割引券にも適用できることは勿論である。
【００４０】
前述したような本発明の詳細な説明では具体的な実施形態に関して説明した。しかしながら、本発明の範疇から外れない限度内では種々の変形が可能である。本発明の技術的思想は本発明の前述した実施形態に限定されて定まってはならず、特許請求範囲だけでなく、この特許請求範囲と均等物により定まるべきである。
【図１】
2014518413.tif 000003
【図２】
2014518413.tif 000004
【図３】
2014518413.tif 000005
【図４】
2014518413.tif 000006
【図５】
2014518413.tif 000007
【国際調査報告】
2014518413.tif 000008
2014518413.tif 000009
2014518413.tif 000010
2014518413.tif 000011